(57)【要約】【技術課題】薄型液晶テレビ等のモニター支持装置において、モニターの仰角をワンタッチで調整ができると共に、ヒンジ機構及びフリクション機構を簡素化、小型化する。【解決手段】支点軸２３と、この支点軸２３を回転半径の中心として回転するフリクション軸３１の二軸により支持台１４にブラケット７を組みつけ、その上でブラケット７を平板４を介してモニター１に取付け、支持台１４をモニタースタンド２に取り付ける。この結果、ワンタッチでモニター１の仰角調整ができると共に、ヒンジ機構及びフリクション機構３０が簡素化、小型化する。よって、ヒンジ機構及びフリクション機構の設計の自由度を増すことができる。【選択図】図４
2008099065.tif 000002
【特許請求の範囲】
【請求項１】
モニターを回動自在に支持する支点軸と、この支点軸を半径の中心として回動し、モニターを任意の仰角に制御するフリクション機構と、から成る二軸式モニター支持装置。
【請求項２】
平板部分をモニター側に取付自在であって、モニター側から見て後方に直角に折り曲げて形成された２枚の側板の後端を連結背板により連結して、側板及び連結背板により平面視コ字状に形成されたブラケットと、
前記ブラケットの側板において、モニターに近い位置の下部に形成されたヒンジ機構における支点軸孔と、
前記ブラケットの支点軸孔の上方であって、支点軸孔とモニター間の距離よりも遠く、前記支点軸孔を中心とする半径線上に形成されたフリクション軸取付孔と、
底板の両サイドから前記側板のそれぞれの内側に位置するように袖板を直角に立ち上げ、かつ前記底板にモニタースタンドに対する固定ねじ取付用の取付孔を形成して成る支持台と、
前記袖板において、前記ブラケット側の支点軸孔に対向する位置に形成された支持台側の支点軸孔と、
前記袖板において、前記フリクション軸取付孔に対向する位置に形成された長孔と、
前記ブラケット側の支点軸孔と支持台側の支点軸孔間に挿通されてブラケットを支持台に回転自在に取り付ける支点軸と、
前記ブラケットの側板のフリクション軸取付孔と前記支持台の袖板の長孔間にフリクション軸を介して取り付けられていて、袖板と側板間にフリクショントルクを負荷するフリクション機構と、
から成る二軸式モニター支持装置。
【請求項３】
前記長孔をブラケットの側板側に形成し、フリクション軸取付孔を支持台の袖板側に形成して成る請求項２に記載の二軸式モニター支持装置。
【請求項４】
前記ブラケットの側板を、前記支持台の袖板の外側に位置するように組み付けて成る請求項２又は３に記載の二軸式モニター支持装置。
【発明の詳細な説明】
【技術分野】
【０００１】
この発明は、薄型テレビジョン受像機やパソコン等のモニター装置（以下「モニター」と称する）を傾動可能に枢支するモニター支持装置に関し、更に詳しくは、二軸方式でモニターを支持する支持装置であって、モニターをワンタッチで希望する仰角に制御することができると共に、モニターの重量が増加しても従来に比べて小型のヒンジ機構及びフリクション機構によりモニターを希望する仰角で静止固定できる二軸式モニター支持装置に関するものである。
【背景技術】
【０００２】
近年生活様式が多様化し、薄型テレビジョン受像機やパソコン等のモニターを見る位置が多様化していることから、視聴者にとって見やすい仰角にモニターを調整して視聴が可能なモニタースタンドが各種提案されている。
例えば、特開２００５−１２８４７１号公報（特許文献１）には、「長年機器を使って傾動操作を続けても、ヒンジ部分があまくならずに画像表示部を安定して静止固定できる枢支手段を備えた液晶テレビジョン受像機、或いは、ディスクトップパソコンの液晶ディスプレイ等の機器を提供するために、液晶パネルと操作部を備えたテレビジョン受像機本体を脚部に対して傾動可能に枢支した液晶テレビジョン受像機であって、テレビジョン受像機本体を傾動可能に枢支するヒンジ部は一対の左右ヒンジ部から成り、各左右ヒンジ部は夫々脚部に取り付けられたスタンド部とテレビジョン受像機本体に取り付けられたスイング部とから成り、それら左右のヒンジ部が組み合わされて一体的なヒンジ部を構成した内容の液晶テレビジョン受像機」が提案されている。
【０００３】
しかし、この提案の場合、テレビジョン受像機本体の重心は、ヒンジ部の回転の中心より前側に位置しているため、任意角度で静止できるためのフリクショントルク（回転負荷）は、テレビジョン受像機が大型化することに応じて高いトルク力が要求される。
また、スイング部の支点軸に、テレビジョン受像機本体を支える負荷構造（フリクション機構）を取り付けた一軸方式のため、フリクション機構における負荷構造が大きくなる傾向がある。
したがって、それに耐えるためにフリクション機構の部品数が多くなって複雑になったり、各部品を組み立てる場合のかしめ力の管理が高度化するなどの問題が発生している。
さらに、その構造が大きくなるため、限られたスペース内にフリクション機構の組み付けができない場合があり、フリクション機構の取り付け位置に自由度がないという設計上の問題もある。
【０００４】
また、特開平１１−２７２１９６号公報（特許文献２）には、「壁面と所要の間隔を保持しながらディスプレイ面の傾斜角度を調節できるようにするために、壁面に金具を固定し、ディスプレイの側面に金具を取付け、金具の下端を蝶番で金具の突出部に回動可能に連結し、アームの一端をネジで金具の上部に取付け、アームの長穴の適宜の位置をネジで金具にネジ止めを行い、ディスプレイの傾斜角度の調節はネジを緩めて行う」ように構成した内容の平面型ディスプレイの壁掛け装置が提案されている。
しかし、この壁掛け装置の場合、ディスプレイは蝶番とネジの二軸方式で角度調節する構造となっているが、角度を設定したり固定する場合には、いちいちネジを弛めたり、締め付けたりする必要があり、角度調整が面倒であるばかりでなく、締め付け力が不足すると、ディスプレイ側の重力が勝って少しずつ前傾角が増したり、不用意に前傾してしまうという欠点がある。
【特許文献１】特開２００５−１２８４７１号公報
【特許文献２】特開平１１−２７２１９６号公報
【発明の開示】
【発明が解決しようとする課題】
【０００５】
本発明は、以上に説明した欠点のない二軸式モニター支持装置を提供するのが目的であって、具体的には、ワンタッチで簡単に仰角調整を行うことができると共に、モニターが大型化してもヒンジ機構及びフリクション機構が複雑化、大型化せず、ヒンジ機構及びフリクション機構の設計において、その自由度を増すことができる二軸式のモニター支持装置を提供することである。
【課題を解決するための手段】
【０００６】
上記目的を達成するため、請求項１に記載の発明においては、二軸式モニター支持装置において、モニターを回動自在に支持する支点軸と、この支点軸を半径の中心として回動し、モニターを任意の仰角に制御するフリクション機構と、から成ることを特徴とするものである。
【０００７】
更に、請求項２に記載の発明においては、二軸式モニター支持装置において、平板部分をモニター側に取付自在であって、モニター側から見て後方に直角に折り曲げて形成された２枚の側板の後端を連結背板により連結して、側板及び連結背板により平面視コ字状に形成されたブラケットと、
前記ブラケットの側板において、モニターに近い位置の下部に形成されたヒンジ機構における支点軸孔と、
前記ブラケットの支点軸孔の上方であって、支点軸孔とモニター間の距離よりも遠く、前記支点軸孔を中心とする半径線上に形成されたフリクション軸取付孔と、
底板の両サイドから前記側板のそれぞれの内側に位置するように袖板を直角に立ち上げ、かつ前記底板にモニタースタンドに対する固定ねじ取付用の取付孔を形成して成る支持台と、
前記袖板において、前記ブラケット側の支点軸孔に対向する位置に形成された支持台側の支点軸孔と、
前記袖板において、前記フリクション軸取付孔に対向する位置に形成された長孔と、
前記ブラケット側の支点軸孔と支持台側の支点軸孔間に挿通されてブラケットを支持台に回転自在に取り付ける支点軸と、
前記ブラケットの側板のフリクション軸取付孔と前期支持台の袖板の長孔間にフリクション軸を介して取り付けられていて、袖板と側板間にフリクショントルクを負荷するフリクション機構と、
から成ることを特徴とするものである。
【０００８】
更に、請求項３に記載の発明においては、請求項２に記載の二軸式モニター支持装置において、前記長孔をブラケットの側板側に形成し、フリクション軸取付孔を支持台の袖板側に形成して成ることを特徴とするものである。
この発明によると、フリクション機構をブラケット側に支持台側から取り付けることにより、ヒンジ機構の設計の自由度を増すことができる。
【０００９】
更に、請求項４に記載の発明においては、請求項２又は３に記載の二軸式モニター支持装置において、前記ブラケットの側板を、前記支持台の袖板の外側に位置するように組み付けて成ることを特徴とするものである。
【００１０】
［作用］
従来、モニタースタンドにおけるモニターの仰角を任意の位置で静止固定させる場合、支点軸部に負荷を与えるためのフリクション機構を前記特許文献１のように組み込んで適正に調整していた（一軸方式）。これに対して、本発明は、支点軸部と負荷を与えるフリクション機構（軸）とを独立して備えることで、軽い負荷でモニターを任意の仰角に制御して静止できる二軸方式とした点に特徴がある。
【００１１】
この理由を図９で説明すると、図９（ａ）は一軸方式のヒンジ機構で、Ａは支点軸を表し、同支点軸Ａには板バネや、スラストワッシャー、スプリングワッシャーなどからなるフリクション機構Ｆが組み付けられている。このため、Ｔ１の回転力が加わると、これを静止させるためには同等の力Ｆ１が得られるフリクショントルクが必要となる。
一方、図９（ｂ）に示す本発明による二軸方式のヒンジ機構の場合は、支点軸Ａから所定の距離Ｘｍｍのところにフリクション機構Ｆ′が設置されているため、例えば前記と同様のＴ１の回転力が加わった場合、支点軸Ａを静止させる力Ｆ１はフリクショントルクＦ２×Ｘとなる。
つまり、図９（ｂ）におけるフリクション機構のフリクショントルクＦ２は、
Ｆ２＝Ｆ１÷Ｘ
となる。
【００１２】
したがって、支点軸Ａとフリクション機構Ｆ′との間の距離が長いほどフリクション機構Ｆ′のフリクショントルクが減少されることになる。
また、モニターを取り付けるブラケット及びブラケットを傾動自在に受ける支持台において、前記ブラケット又は前記支持台の何れかの一方にフリクション機構を組み込む取付孔を円弧状の長孔とすることにより、この長孔を貫通したフリクション軸は、ブラケット又は支持台の板材を挟みながらスライドするため、支点軸を中心として前記ブラケット又は支持台の傾動が可能になる。
【発明の効果】
【００１３】
請求項１〜請求項３に記載された発明の効果は次の通りである。
本発明の二軸式モニター支持装置は、
１．ヒンジ機構としての支点軸から負荷構造（フリクション機構）を取り除くことで、    支点軸部分の構造を簡素化及び小型化できる。
２．フリクション機構を、ヒンジ機構の支点軸と分け、かつこの支点軸から半径方向に    遠ざけて取り付けたことにより、このフリクション機構に求められるフリクショント    ルクは軽減される。よって、フリクション機構についても構造の簡素化と小型化が可    能である。
３．ヒンジ機構としての支点軸及びフリクション機構が簡素化及び小型化できたことに    より、ヒンジ機構及びフリクション機構の配置位置に自由度が増し、設計上効率の良    い位置を定めることができる。
４．ヒンジ機構の支点位置と負荷位置（フリクショントルク負荷位置）に距離が出来た    ことにより、小さな負荷で従来と同等の負荷を発生することができるため、構成部品    の合理化が可能となる。
５．モニターの角度調整負荷は、フリクション機構が担当するため、モニターを手で傾    動させるだけで（ワンタッチで）アナログ的に仰角が決り、特許文献２の場合のよう    に、いちいちネジ留めを行う必要がない。
６．ヒンジ機構の支点軸位置（一軸側）より後方にフリクション機構（二軸側）を遠ざ    けたことにより、モニターを前傾させたときに、二軸側が一軸側の垂直線上に接近し    て重量バランスが良くなる。
【実施例１】
【００１４】
請求項１〜請求項４に記載した発明に対応する実施例を次に説明する。
図１は本発明に係る支持装置によりモニターをモニタースタンド上に組み付けたときの説明図で、図１は正面図、図２は側面図、図３は支持装置部分を横方向から見たときの説明図、図４は支持装置の斜視図、図５（ａ）〜（ｄ）は支持装置を構成するブラケットの説明図、図６（ａ）〜（ｄ）は支持装置を構成する支持台の説明図、図７は図３におけるＡ−Ａ´線断面図、図８はフリクション機構の構成部品の分解説明図である。
【００１５】
先ず、本発明に係るモニター支持装置の基本的な構成は、モニタースタンドへ固定される支持台と、モニターの背面へ固定されるブラケットと、前記支持台とブラケットを回動自在に枢支するヒンジ機構と、モニターの仰角をワンタッチで任意に制御するフリクション機構から成る。
図１〜図３において、符号の１は、薄型テレビジョンのモニター、２はこのモニター１を図２において、点線で示すように傾動自在に支持しているモニタースタンド、３はモニタースタンド２にモニター１を取り付けている支持装置（本発明）であって、この構成を図４〜図８に基づいて詳細に説明する。
【００１６】
図４〜図８において、４はモニター１の背面に当てるようにしてネジ留めされる平板であって、この平板４には、左右に２ヶ所ずつに取付孔５が設けられていて、図７に示すように、モニター１の背面にネジ６で取り付けられる。
７は、前記平板４の背面４ａに取り付けられるブラケットであって、このブラケット７は、図３〜図５に示すように、平板４に対する取付孔１１付のフランジ８、８ａと、このフランジ８、８ａから後方に直角に突き出した側板９、９ａと、この側板９、９ａの後端を連結することによりブラケット７を平面視コ字状に形成している連結背板１０から成る。
【００１７】
図５（ｃ）（ｄ）において、１２、１２ａは、前記ブラケット７の側板９、９ａにおいて、フランジ８、８ａ側に接近して形成されたヒンジ機構組み付け用の支点軸孔、１３、１３ａは、同じようにブラケット７の側板９、９ａにおいて、前記支点軸孔１２、１２ａよりも上部であって、支点軸孔１２、１２ａよりも後方（連結背板１０側）にずらして形成されたフリクション軸取付孔である。
【００１８】
１４は、図３に示すように、前記モニタースタンド２の上端に形成された水平取付部２ａに対して取り付けられる支持台であって、この支持台１４は、図６（ａ）〜（ｄ）に示すように、底板１５の中央にモニタースタンド２に対する取付孔１６を形成し、両サイドを直角に立ち上げて袖板１７、１７ａを形成すると共に、底板１５の後端を直角に立ち上げて背面板１８を形成し、この背面板１８の上部両サイドには、側板１７、１７ａ側の折り曲げ１９に背面板１８とビスで連結して補強するためのビス孔１９ａを形成した構成であって、平面視は図６（ｂ）に示すように、コ字状を呈し、支持台１４とブラケット７を組み合わせたとき、袖板１７、１７ａと前記ブラケット７の側板９、９ａ間には、それぞれフリクション機構３０側の２枚のスペーサー３６、３６ａ（図７、図８参照）が挟まる分の隙間が形成される。
【００１９】
２０、２０ａは、袖板１７、１７ａの下部であって、前端に近い位置に形成されたヒンジ機構としての支点軸孔であって、前記ブラケット７側のヒンジ軸孔１２、１２ａと合致する位置に形成されている。
２１、２１ａは、側板１７、１７ａの上部において、前記支点軸孔２０、２０ａより後方に位置し、支点軸孔２０、２０ａを中心とする円弧線上にで形成された長孔であって、フリクション機構３０は、フリクション軸３１を介して図７、図８に示すように、この長孔２１、２１ａを経由してブラケット７の側板９、９ａ側のフリクション軸取付孔１３、１３ａに取り付けられる。
【００２０】
ここで、フリクション機構３０について説明すると、図７、図８に示されるように、その構成は、支持台１４の袖板１７、１７ａの内側から、フリクション軸３１をワッシャー３２、スプリングワッシャー３３、フリクションワッシャー３４、長孔３５ａ付のチルトワッシャー３５、支持台１４の袖板１７、１７ａの長孔２１、２１ａ、フリクション長孔３６ｂ、支点軸孔３６ｃ付のスペーサー３６、フリクション軸孔３６ｄ付のスペーサー３６ａ、ブラケット７の側板９、９ａのフリクション組み付け用の軸孔１３、１３ａの順で通し、ナット３７の締め付けで一定のトルクが発生するように組み付けられる。但し、このフリクション機構３０の構成は、一例であって、その他、公知のフリクション機構を用いることもできる。
図７において、２２は支持台１４をモニタースタンド２の上端水平部２ａに取付孔１６を介してねじ込み、支持台１４を固定している支持台固定ネジである。
【００２１】
次に、ブラケット７と支持台１４の組み付け手順について説明する。まず、ヒンジ機構としての支点軸２３は、支持台１４の軸板１７、１７ａの内側から支点軸孔２０、２０ａに通し、スペーサー３６、３６ａの支点軸孔３６ｃからブラケット７の側板９、９ａの支点軸孔１２、１２に通し、先端をカシメ止め２３ａする。
【００２２】
以上の工程によりブラケット７と支持台１４を組み合わせたのち、ブラケット７のフランジ８、８ａへ平板４をネジ孔１１を介してネジ止めすることにより、図３、図４、図７に示すように二軸式の支持装置は完成する。なお、支持台１４の袖板１７、１７ａと、ブラケット７の側板９、９ａの間に挟み込まれたスペーサー３６、３６ａは、潤滑性に富む樹脂製の平板であって、ブラケット７（側板９、９ａ）と支持台１４（袖板１７、１７ａ）を円滑に摺動させる。
以上の様に構成された二軸式の支持装置を、平板４に設けた４ヶ所の取付孔５に取付ネジ６を通してモニター１の背面に取り付け、そして図７に示すように、支持台１４の底板１５に設けた取付孔１６に取付ネジ２２を通し、この取付ネジ２２をモニタースタンド２側の取付ネジ孔２ｂにねじ込むことにより、モニター１の仰角が支点軸２３とフリクション軸３１の二軸により、任意に選択できる二軸式のモニター支持装置の取り付けは完成する。
【００２３】
従来の構成である支点軸にフリクション機構３０を直接組み付けた一軸方式と、本発明の二軸方式について、その作用効果を比較すると、３７インチ薄型テレビのモニターにおいて、一軸方式の場合、フリクション機構３０のフリクショントルクとして８５ｋｇｆ/ｃｍ必要であったが、本発明の二軸方式によれば、４５ｋｇｆ/ｃｍと少ないフリクショントルクを発生させるだけで実用が可能になった。
ゆえに、フリクション機構を含むヒンジの小型化が可能となり、生産コストを低減することができると共に、小型化した分、製品設計の自由度が増した。
なお、フリクション機構３０の取り付けのために、側板９、９ａ側を袖板１７、１７ａの内側に位置させても良く（請求項４）、また、フリクション軸取付孔１３、１３ａと長孔２１、２１ａをブラケット７の側板９、９ａ側と袖板１７、１７ａ側において入れ替えても良い（請求項３）。
【産業上の利用可能性】
【００２４】
１．薄型テレビジョンのモニター（ディスプレー）の仰角調整を可能とする支持装置
２．パソコンのモニターの仰角調整を可能とする支持装置
３．その他の薄型表示機器の仰角調整を可能とする支持装置
【図面の簡単な説明】
【００２５】
【図１】モニタースタンド付薄型液晶テレビの正面図
【図２】モニターの仰角調整例の説明図
【図３】モニター支持装置部分の説明図
【図４】組み立てた状態のモニター支持装置の斜視図
【図５】ブラケットを示し、（ａ）は正面図、（ｂ）は平面図、（ｃ）は左側面図、（ｄ）は右側面図
【図６】支持台を示し、（ａ）は正面図、（ｂ）は平面図、（ｃ）は左側面図、（ｄ）は右側面図
【図７】Ａ−Ａ´線断面図
【図８】フリクション機構の分解斜視図
【図９】一軸式フリクションヒンジ機構と本発明である二軸式ヒンジ機構のフリクショントルクの対比説明図であって、（ａ）は一軸式フリクションヒンジ機構、（ｂ）は二軸式ヒンジ機構
【符号の説明】
【００２６】
１  モニター
２  モニタースタンド
７  ブラケット
１４  支持台
２３  支点軸
３０  フリクション機構
【図１】
2008099065.tif 000003
【図２】
2008099065.tif 000004
【図３】
2008099065.tif 000005
【図４】
2008099065.tif 000006
【図５】
2008099065.tif 000007
【図６】
2008099065.tif 000008
【図７】
2008099065.tif 000009
【図８】
2008099065.tif 000010
【図９】
2008099065.tif 000011